(57)【特許請求の範囲】
【請求項１】
割引申請の対象である商品を決定する商品決定部と、
前記商品の割引申請を収集して割引リストを生成して提供するリスト管理部と、
前記割引リストの提供された前記商品の販売者を対象に前記商品の割引金額を決定する金額決定部と、
前記割引金額に基づいてショッピングサービスを提供するサービス提供部と、
を備え、
前記金額決定部は、前記商品に対して割引申請をしたユーザの人数が予め設定した条件を満足した場合、前記割引リストに基づいて前記商品の前記販売者が提示した入札額を前記商品の割引金額として決定し、前記条件を満足しない場合には、予め設定した人数に対して不足する人数の割合に基づいて前記商品の割引される金額を減少させて割引金額を決定することを特徴とするユーザ中心のショッピングサービス提供システム。
【請求項２】
前記商品決定部は、オンラインショッピングサイトで販売される前記商品のうち、ユーザが割引を申請するために選択した前記商品を決定することを特徴とする請求項１に記載のユーザ中心のショッピングサービス提供システム。
【請求項３】
前記商品決定部は、ソーシャルネットワークに登録された文書から抽出された前記商品を対象に割引申請の対象である前記商品を決定することを特徴とする請求項２に記載のユーザ中心のショッピングサービス提供システム。
【請求項４】
前記リスト管理部は、前記ユーザまたは前記ユーザが加入した前記ソーシャルネットワークの人脈の割引申請に基づいて前記割引リストを生成することを特徴とする請求項３に記載のユーザ中心のショッピングサービス提供システム。
【請求項５】
前記リスト管理部は、前記ユーザが割引を申請した前記商品に関連する前記割引リストを前記ソーシャルネットワークの人脈に提供することを特徴とする請求項４に記載のユーザ中心のショッピングサービス提供システム。
【請求項６】
前記リスト管理部は、前記ユーザが割引を申請した前記商品に関連する前記割引リストを前記商品と同一または類似の商品に関心を有する前記ソーシャルネットワークの人脈に提供することを特徴とする請求項５に記載のユーザ中心のショッピングサービス提供システム。
【請求項７】
前記リスト管理部は、前記ソーシャルネットワークの人脈に関連する文書の内容、プロファイル、購入商品、または検索キーワードのうち少なくとも１つに基づいて前記ユーザが割引を申請した前記商品と同一または類似の商品に関心を有するか否かを判断することを特徴とする請求項６に記載のユーザ中心のショッピングサービス提供システム。
【請求項８】
前記リスト管理部は、前記ソーシャルネットワークの人脈が割引を申請した前記商品に関連する前記割引リストを前記ユーザに提供することを特徴とする請求項４から請求項７のいずれか１項に記載のユーザ中心のショッピングサービス提供システム。
【請求項９】
前記金額決定部は、前記割引リストが提供された前記商品の前記販売者の最低入札額に基づいて前記商品の割引金額を決定することを特徴とする請求項１から請求項８のいずれか１項に記載のユーザ中心のショッピングサービス提供システム。
【請求項１０】
割引申請の対象である商品を決定し、
前記商品の割引申請を収集して割引リストを生成して販売者に提供し、
前記割引リストが提供された前記商品の販売者を対象に商品の割引金額を決定し、
前記割引金額に基づいてショッピングサービスを提供することを含み、
前記商品の割引金額を決定することは、前記商品に対して割引申請をしたユーザの人数が予め設定した条件を満足した場合、前記割引リストに基づいて前記商品の前記販売者が提示した入札額を前記商品の割引金額として決定し、前記条件を満足しない場合には、予め設定した人数に対して不足する人数の割合に基づいて前記商品の割引される金額を減少させて割引金額を決定することを含むことを特徴とするユーザ中心のショッピングサービス提供方法。
【請求項１１】
前記割引申請の対象である前記商品を決定することは、
オンラインショッピングサイトで販売されている前記商品のうち、ユーザが割引を申請するために選択した前記商品を決定することを特徴とする請求項１０に記載のユーザ中心のショッピングサービス提供方法。
【請求項１２】
前記割引申請の対象である前記商品を決定することは、
ソーシャルネットワークに登録された文書から抽出された前記商品を対象に割引申請の対象である前記商品を決定することを特徴とする請求項１１に記載のユーザ中心のショッピングサービス提供方法。
【請求項１３】
前記割引リストを生成して提供することは、前記ユーザまたは前記ユーザが加入した前記ソーシャルネットワークの人脈の割引申請に基づいて前記割引リストを生成することを特徴とする請求項１２に記載のユーザ中心のショッピングサービス提供方法。
【請求項１４】
前記割引リストを生成して提供することは、前記ユーザが割引を申請した商品に関連する割引リストを前記ソーシャルネットワークの人脈に提供することを特徴とする請求項１３に記載のユーザ中心のショッピングサービス提供方法。
【請求項１５】
前記割引リストを生成して提供することは、前記ユーザが割引を申請した商品に関連する割引リストを前記商品と同一または類似の商品に関心を有する前記ソーシャルネットワークの人脈に提供することを特徴とする請求項１４に記載のユーザ中心のショッピングサービス提供方法。
【請求項１６】
前記割引リストを生成して提供することは、前記ソーシャルネットワークの人脈に関連する文書の内容、プロファイル、購入商品、または検索キーワードのうち少なくとも１つに基づいて前記ユーザが割引を申請した商品と同一または類似の商品に関心を有するか否かを判断することを特徴とする請求項１５に記載のユーザ中心のショッピングサービス提供方法。
【請求項１７】
前記割引リストを生成して提供することは、前記ソーシャルネットワークの人脈が割引を申請した前記商品に関連する前記割引リストを前記ユーザに提供することを特徴とする請求項１３乃至請求項１６のいずれか１項に記載のユーザ中心のショッピングサービス提供方法。
【請求項１８】
前記商品の割引金額を決定することは、前記割引リストが提供された前記商品の販売者の最低入札額に基づいて商品の割引金額を決定することを特徴とする請求項１０乃至請求項１７のいずれか１項に記載のユーザ中心のショッピングサービス提供方法。
【請求項１９】
請求項１０乃至請求項１８のいずれか１項の方法を実行するためのプログラムが記録されたコンピュータで読み出し可能な記録媒体。
【発明の詳細な説明】
【技術分野】
【０００１】
本発明は、ユーザ中心のショッピングサービス提供システムおよびショッピングサービスの提供方法に関する。より詳細には、ユーザが選択した商品またはユーザのソーシャルネットワークに関連する商品の販売金額を割引するユーザ中心のショッピングサービス提供システムおよびショッピングサービスの提供方法に関する。
【背景技術】
【０００２】
コミュニティ、ブログのようなソーシャルネットワークへの関心が増加するに伴い、ソーシャルネットワークを用いるサービスも多様化している。特に、共同購入のように予め設定した人数以上のユーザが購入すると、商品の販売価格を割引するショッピングサービスの人気が増加している。
【０００３】
従来のショッピングサービスは、商品を販売する供給者（販売者）中心のサービス形態である。すなわち、従来におけるショッピングサービスは、ユーザの要求事項とは関係なく、販売者自身が販売する商品に対して一定の人数以上のユーザが購入する場合には商品の販売価格を割引するという申し込み方式である。
【０００４】
このようなショッピングサービスは、ユーザが実際に要求する商品がショッピングサービスに登場するまで待機しなければならないため、ショッピングサービスに対するユーザの関心を持続的に維持することが困難になる問題がある。結果的には、販売者、ユーザ、ショッピングサービスを提供する業者に損害が発生する問題がある。
【０００５】
したがって、従来におけるショッピングサービスのサービス構造を改善してユーザ中心のショッピングサービスをより活性化することのできる方法が求められている。
【発明の概要】
【発明が解決しようとする課題】
【０００６】
本発明の目的は、ショッピングサービスに対するユーザの満足度を向上させるユーザ中心のショッピングサービス提供システムおよびショッピングサービスの提供方法を提供する。
【０００７】
本発明の目的は、ショッピングサービスの領域を拡大させるユーザ中心のショッピングサービス提供システムおよびショッピングサービスの提供方法を提供する。
【０００８】
本発明の目的は、割引リストから販売数量を予測するユーザ中心のショッピングサービス提供システムおよびショッピングサービスの提供方法を提供する。
【０００９】
本発明の目的は、運用者のショッピングページに訪問するユーザの数を増加させ、ページビューによる追加利益を発生させるユーザ中心のショッピングサービス提供システムおよびショッピングサービスの提供方法を提供する。
【課題を解決するための手段】
【００１０】
本発明の一実施形態に係るショッピングサービス提供システムは、割引申請の対象である商品を決定する商品決定部と、商品の割引申請を収集して割引リストを生成して提供するリスト管理部と、割引リストの提供された商品の販売者を対象に商品の割引金額を決定する金額決定部と、割引金額に基づいてショッピングサービスを提供するサービス提供部とを備えることを特徴とする。
【００１１】
本発明の一実施形態に係るショッピングサービス提供方法は、割引申請の対象である商品を決定し、商品の割引申請を収集し割引リストを生成して提供し、割引リストが提供された商品の販売者を対象に商品の割引金額を決定し、割引金額に基づいてショッピングサービスを提供することを特徴とする。
【発明の効果】
【００１２】
本発明によれば、ユーザが所望する商品に対して割引された金額でショッピングサービスを提供することによって、ショッピングサービスに対するユーザの満足度を向上させることができる。
【００１３】
本発明によれば、ユーザが割引を申請した商品に対してユーザが加入したソーシャルネットワークの人脈にも割引を申請することのできる機会を提供することによって、ショッピングサービスの領域を拡大させることができる。
【００１４】
本発明によれば、販売者が販売しようとする商品に対してユーザの割引申請に応じて生成された割引リストから販売数量を予測することができる。
【００１５】
本発明によれば、割引を申請するためにショッピングサービスを提供する運用者のショッピングページに訪問するユーザの数を増加させ、ページビューによる追加利益を発生させることができる。
【図面の簡単な説明】
【００１６】
【図１】本発明の一実施形態に係るショッピングサービス提供システムの動作を説明するためのブロック図である。
【図２】本発明の一実施形態に係るショッピングサービス提供システムの細部構成を示すブロック図である。
【図３】本発明の一実施形態に係る割引申請の対象である商品を決定する過程を示す図である。
【図４】本発明の一実施形態に係る割引リストを生成する過程を示す図である。
【図５】本発明の一実施形態に係る同一のソーシャルネットワークに属するユーザ間に割引リストを提供する過程を示す図である。
【図６】本発明の一実施形態に係る商品の割引リストを商品に関連するソーシャルネットワークの人脈グループに提供する過程を示す図である。
【図７】本発明の一実施形態に係る商品の割引金額を決定する過程を示す図である。
【図８】本発明の一実施形態に係る割引金額に応じてショッピングサービスを提供する過程を示す図である。
【図９】本発明の一実施形態に係るショッピングサービス提供方法の全体構成を示すフローチャートである。
【発明を実施するための形態】
【００１７】
以下、本発明の実施形態を添付する図面を参照しながら詳細に説明する。
【００１８】
図１は、本発明の一実施形態に係るショッピングサービス提供システムの動作を説明するためのブロック図である。
【００１９】
ショッピングサービス提供システム１０１は、ユーザ１０２が中心となったショッピングサービスを提供する。例えば、ユーザ１０２は、オンラインショッピングサイト１０４でのショッピング中に所望の商品を選択してショッピングサービス提供システム１０１に割引を申請する。そして、ショッピングサービス提供システム１０１は、ソーシャルネットワーク１０５に登録された文書を分析して商品を抽出した後、ユーザ１０２に商品リストを提供する。これによって、ユーザ１０２は、商品リストから所望の商品を選択してショッピングサービス提供システム１０１に割引を申請する。
【００２０】
ショッピングサービス提供システム１０１は、ユーザ１０２が選択した商品に対して割引リストを生成して複数の販売者１０３に提供する。これによって、販売者１０３は、割引リストを考慮してユーザ１０２が選択した商品に対してショッピングサービスのための入札に参加する。
【００２１】
ショッピングサービス提供システム１０１は、販売者１０３が入力した入札額に基づいて割引金額を決定した後、販売者１０３とユーザ１０２との間に行われるショッピングサービスを提供する。
【００２２】
すなわち、本発明の一実施形態によると、販売者１０３ではないユーザ１０２が所望の商品に対してショッピングサービスを提供することによって、ショッピングサービスに対するユーザ１０２の満足度を向上させることができる。そして、販売者１０３の立場から、自身が販売しようとする商品に対してユーザ１０２の割引申請による販売数量を予測することができ、ターゲットマーケティングを行なうことができる。また、ショッピングサービス提供システム１０１を運用する主体の立場（運用者）から、割引を申請するためユーザ１０２の訪問が増加してページビューによる追加利益を得ることができる。
【００２３】
図２は、本発明の一実施形態に係るショッピングサービス提供システム１０１の細部構成を示すブロック図である。以下、図２を参照して、ショッピングサービス提供システム１０１の動作について具体的に説明する。
【００２４】
図２を参照すると、ショッピングサービス提供システム１０１は、商品決定部２０１、リスト管理部２０２、金額決定部２０３、およびサービス提供部２０４を備える。
【００２５】
商品決定部２０１は割引申請の対象である商品を決定する。ここで、割引申請とは、ユーザ１０２が購入しようとする商品に対して希望価格と商品の数を設定した申請を行うことをいう。希望価格とは、ユーザが購入しようとする商品の割引された金額をいい、ショッピングサービス提供システム１０１と販売者との間の取引によって決定される最終金額とは差異がある。
【００２６】
商品決定部２０１は、一例として、オンラインショッピングサイト１０４で販売されている商品のうち、ユーザ１０２が割引を申請するために選択した商品を決定する。具体的に、ユーザ１０２がオンラインショッピングサイト１０４で販売されている商品を選択して割引を申請する場合、商品決定部２０１はユーザ１０２が選択した商品をショッピングサービスのための商品として決定する。
【００２７】
商品決定部２０１は、他の一例として、ソーシャルネットワーク１０５に登録された文書から抽出した商品を対象に割引申請の対象である商品を決定する。具体的に、商品決定部２０１は、ソーシャルネットワーク１０５に登録された文書から商品を抽出して商品リストをユーザ１０２に提供する。ユーザ１０２が商品リストから商品を選択して割引を申請する場合、商品決定部２０１はユーザ１０２が選択した商品をショッピングサービスのための商品として決定する。
【００２８】
リスト管理部２０２は、商品の割引申請を収集して割引リストを生成し提供する。リスト管理部２０２は、ユーザ１０２またはユーザ１０２が加入したソーシャルネットワーク１０５の人脈による割引申請に応じて割引リストを生成してもよい。ここで、ユーザ１０２が加入したソーシャルネットワーク１０５とは、カフェ、ブログ、マイクロブログなどのようにオンライン上に存在するユーザ１０２の人的ネットワークをいう。ソーシャルネットワーク１０５の人脈とは、ソーシャルネットワーク１０５によってユーザ１０２およびオンライン上の人的関係が形成された友人、類似ユーザなどをいう。
【００２９】
リスト管理部２０２は、一例として、ユーザ１０２が割引を申請した商品に関連する割引リストをソーシャルネットワーク１０５の人脈に提供する。例えば、ユーザ１０人が商品Ａに対して割引を申請した場合、商品Ａの割引リストが生成される。商品Ａの割引リストは希望価格と人数が含まれる。このとき、ユーザは、商品Ａに対して少なくとも１つの商品の数を設定して割引を申請してもよい。割引リストに含まれた人数は、販売者の立場から予備的な販売数量をいい、ユーザそれぞれが割引を申請した商品の数を合算した値で決定される。
【００３０】
これによって、リスト管理部２０２は、商品Ａの割引リストを商品Ａに対して割引を申請していないユーザ１０人それぞれのソーシャルネットワークの人脈に提供する。これによって、商品Ａの割引リストが提供されたソーシャルネットワーク１０５の人脈は商品Ａに関心があれば割引を申請してもよい。
【００３１】
すなわち、ユーザ１０２が割引を申請した商品の割引リストをユーザ１０２に関連するソーシャルネットワーク１０５の人脈に提供することによって、ソーシャルネットワーク１０５の人脈にとって追加的な割引申請を誘導できる。
【００３２】
特に、リスト管理部２０２は、ソーシャルネットワーク１０５の人脈の割引申請をより効果的に誘導するため、ユーザ１０２が割引を申請した商品に関連する割引リストを商品と同一または類似の商品に関心を有しているソーシャルネットワーク１０５の人脈に提供する。すなわち、リスト管理部２０２は、ユーザ１０２が割引を申請した商品の割引リストは該当商品に関心を有する可能性の高いソーシャルネットワーク１０５の人脈に提供する。具体的に、リスト管理部２０２は、ソーシャルネットワーク１０５の人脈に関連する文書の内容、プロファイル、購入商品、または検索キーワードのうち少なくとも１つに基づいてソーシャルネットワーク１０５の人脈がユーザの割引を申請した商品と同一または類似の商品に関心を有するか否かを判断できる。
【００３３】
リスト管理部２０２は、他の一例として、ソーシャルネットワーク１０５の人脈が割引を申請した商品に関連する割引リストをユーザに提供する。例えば、ソーシャルネットワーク１０５の人脈が商品Ｂに対して割引を申請した場合、リスト管理部２０２は商品Ｂの割引リストを商品Ｂに割引を申請していないユーザに提供してもよい。
【００３４】
金額決定部２０３は、割引リストが提供された商品の販売者１０３を対象に商品の割引金額を決定する。具体的に、商品の割引リストが提供された商品の販売者１０３は、ショッピングサービスのために入札額を提示して入札に参加する。これによって、金額決定部２０３は、商品の販売者１０３が提示した最低入札額に基づいて商品の割引金額を決定する。
【００３５】
サービス提供部２０４は、割引金額に基づいてショッピングサービスを提供する。ここで、割引金額とは、商品の販売価格から割引された金額であり、予め設定された人数だけユーザ１０２が割引を申請した場合、ユーザ１０２が支払わなければならない最終的な商品の販売価格をいう。
【００３６】
図３は、本発明の一実施形態に係る割引申請の対象である商品を決定する過程を示す図である。
【００３７】
図３に示した過程＜Ｉ＞は、オンラインショッピングサイト１０４で販売されている商品のうち、ユーザ１０２がいずれか１つの商品を選択して割引を申請する場合である。具体的に、オンラインショッピングサイト１０４で商品１、商品２、商品３が販売されているとき、ユーザ１０２は、より割引された金額で購入しようとする商品を選択して割引を申請する。このとき、ユーザ１０２は選択した商品に対して割引したい商品の希望価格と購入しようとする商品の数を設定して割引を申請する。これによって、ショッピングサービス提供システム１０１は、ユーザ１０２から受信した割引申請に含まれた商品を決定する。
【００３８】
図３に示した過程＜ＩＩ＞は、ソーシャルネットワーク１０５に登録された文書から抽出した商品のうちユーザ１０２がいずれか１つの商品を選択して割引を申請する場合である。ショッピングサービス提供システム１０１は、ソーシャルネットワーク１０５に登録された文書を分析して商品を抽出する。例えば、ショッピングサービス提供システム１０１は、文書に含まれた単語の頻度、品詞とソーシャルネットワークの特性、題名、タグなどを考慮して商品を抽出する。ここで、ソーシャルネットワーク１０５に登録された文書とは、商品の使用時期、レビュー、紹介文、広告文など商品に関連する内容を含んでいる文書をいう。
【００３９】
そして、ショッピングサービス提供システム１０１は、文書から抽出された商品のうち商品推薦の基準を満足する商品が含まれた商品リストをユーザ１０２に提供する。このとき、商品推薦の基準は、オンラインショッピングサイト１０４における露出数、クリック数、人気度、販売量、季節などを含んでもよい。
【００４０】
これによって、ユーザ１０２は、商品リストに含まれた商品ａ、商品ｂ、商品ｃのうちいずれか１つを選択して割引を申請する。これによって、ショッピングサービス提供システム１０１は、ユーザ１０２から受信した割引申請に含まれた商品を決定してもよい。
【００４１】
図４は、本発明の一実施形態に係る割引リストを生成する過程を示す図である。
【００４２】
図４を参照すると、商品Ａに対してＮ名のユーザ１０２−１から１０２−Ｎがショッピングサービス提供システム１０１に割引を申請したと仮定する。このとき、ユーザ１０２は、選択した商品に対して割引したい商品の希望価格と該当商品の数が含まれた割引を申請する。ここで、ユーザ１０２は、商品の数を１つ以上に設定してもよい。
【００４３】
これによって、ショッピングサービス提供システム１０１は、商品Ａの割引リスト４０１を生成する。図４を参照すると、割引リスト４０１は、商品Ａに対する希望価格と人数を含む。ここで、人数は販売者１０３の立場から予備的な販売数量を意味するため、Ｎ名のユーザ１０２−１から１０２−Ｎが割引を申請した商品の数を合算した値で決定される。例えば、３人のユーザが同一の商品に対して２個ずつ割引を申請した場合、割引リスト４０１の人数は６人になる。
【００４４】
ショッピングサービス提供システム１０１は、割引リスト４０１を商品の販売者１０３に提供することによって、ショッピングサービスのために販売者との取引を行う。販売者１０３は、割引リスト４０１によって商品の予測された販売量を考慮して商品の販売価格を決定する。
【００４５】
図５は、本発明の一実施形態に係る同一のソーシャルネットワークに属するユーザ間に割引リストを提供する過程を示す図である。
【００４６】
図５を参照すると、ユーザＸ５０１およびユーザＹ５０２は、同一のソーシャルネットワーク１０５に加入したオンライン上の類似ユーザの関係を意味する。言い換えれば、ユーザＸ５０１はユーザＹ５０２のソーシャルネットワーク１０５の人脈であり、ユーザＹ５０２はユーザＸ５０１のソーシャルネットワーク１０５の人脈である。
【００４７】
図５を参照すると、ユーザＸ５０１が商品Ａに対してショッピングサービス提供システム１０１に割引を申請したと仮定する。これによって、ショッピングサービス提供システム１０１は、ユーザＸ５０１が加入したソーシャルネットワーク１０５の人脈情報に基づいてユーザＹ５０２を確認する。ショッピングサービス提供システム１０１は、商品Ａに対するユーザＸ５０１の割引申請を収集して商品Ａの割引リストを生成する。ショッピングサービス提供システム１０１は、商品Ａの割引申請をユーザＹ５０２に誘導するため商品Ａの割引リストをユーザＹ５０２に提供する。
【００４８】
図５を参照すると、ユーザＹ５０２が商品Ｂに対してショッピングサービス提供システム１０１に割引を申請したと仮定する。これによって、ショッピングサービス提供システム１０１は、ユーザＹ５０２が加入したソーシャルネットワーク１０５の人脈情報に基づいてユーザＸ５０１を確認する。ショッピングサービス提供システム１０１は、商品Ｂに対するユーザＹ５０２の割引申請を収集して商品Ｂの割引リストを生成する。ショッピングサービス提供システム１０１は、商品Ｂの割引申請をユーザＸ５０１に誘導するために商品Ｂの割引リストをユーザＸ５０１に提供する。
【００４９】
図５に示すように、ショッピングサービス提供システム１０１は、商品に対する割引申請をソーシャルネットワーク１０５の人脈に誘導することによってショッピングサービスを活性化させることができる。そして、商品の割引申請が増加するほど商品の割引金額は高くなるため、ショッピングサービス提供システム１０１は商品に対する割引申請をソーシャルネットワーク１０５の人脈に誘導し、ユーザ１０２と販売者１０３の両者が満足するショッピングサービスを提供できる。
【００５０】
図６は、本発明の一実施形態に係る商品の割引リストを商品に関連するソーシャルネットワーク１０５の人脈グループに提供する過程を示す図である。
【００５１】
図６を参照すると、ユーザ６０１がカテゴリＫに属する商品Ａの割引を申請したと仮定する。ショッピングサービス提供システム１０１は、商品Ａの割引リストを生成してユーザ６０１が加入したソーシャルネットワーク１０５の人脈に商品Ａの割引リストを提供して割引申請を誘導する。図６を参照すると、ショッピングサービス提供システム１０１は、複数のソーシャルネットワーク１０５の人脈に構成された人脈グループ（コテゴリＳ）６０２，人脈グループ（コテゴリＫ）６０３，人脈グループ（コテゴリＭ）６０４のいずれか１つの人脈グループに提供する。
【００５２】
具体的に、ショッピングサービス提供システム１０１は、商品Ａの割引リストを商品Ａと同一または類似の商品に関心を有するソーシャルネットワーク１０５の人脈グループ（カテゴリＫ）６０３に提供する。ここで、商品Ａと同一または類似の商品とは、カテゴリＫに属する商品をいう。
【００５３】
このとき、ショッピングサービス提供システム１０１は、複数のソーシャルネットワーク１０５の人脈に構成された人脈グループ６０２（コテゴリＳ），人脈グループ（コテゴリＫ）６０３，人脈グループ（コテゴリＭ）６０４に関連する文書の内容、プロファイル、購入商品、または検索キーワードのうち少なくとも１つに基づいてカテゴリＫに属する商品に関心があるか否かを判断する。図６を参照すると、人脈グループ６０３（カテゴリＫ）は、カテゴリＫに属する商品に対する使用時期、レビュー、購入コメントなどを作成した人脈で構成する。そして、人脈グループ（カテグリＫ）６０３は、カテゴリＫに属する商品を関心商品に設定したプロファイルを有する人脈に構成する。また、人脈グループ（カテゴリ）６０３は、カテゴリＫに属する商品を購入したり、またはウィッシュリストに設定した人脈から構成したりする。さらに、人脈グループ（カテゴリＫ）６０３は、カテゴリＫに属する商品を検索キーワードとして入力して検索した人脈に構成する。
【００５４】
これによって、人脈グループ（カテゴリＫ）６０３に属する人脈は、商品Ａの割引リストを考慮してショッピングサービス提供システム１０１に割引を申請する。
【００５５】
図７は、本発明の一実施形態に係る商品の割引金額を決定する過程を示す図である。
【００５６】
図７を参照すると、商品Ａに対してＮ名のユーザ１０２−１から１０２−Ｎがショッピングサービス提供システム１０１に割引を申請したと仮定する。これによって、ショッピングサービス提供システム１０１は、商品Ａに対する割引リストを生成してＭ名の販売者１０３−１〜１０３−Ｍに提供する。
【００５７】
この後、ショッピングサービス提供システム１０１は、Ｍ名の販売者１０３−１〜１０３−Ｍのうち少なくとも１つからショッピングサービスのための入札参加申請を受信する。入札に参加した販売者１０３−１〜１０３−Ｍは、商品Ａの割引リストを参考に入札額を提示する。ショッピングサービス提供システム１０１は、一例として、入札に参加した販売者１０３−１〜１０３−Ｍのうち最低入札額を提示した販売者に商品Ａの販売権限を付与する。そして、最低入札額は、ショッピングサービスのための割引金額に決定される。
【００５８】
また、ショッピングサービス提供システム１０１は、他の一例として、入札額および品質指数に基づいて販売者を決定する。このとき、品質指数は、販売者の人気度、販売者が販売可能な商品の数量、販売者に対する評点、落札回数などを含む。
【００５９】
図８は、本発明の一実施形態に係る割引金額に応じてショッピングサービスを提供する過程を示す図である。
【００６０】
図８を参照すると、商品Ａの割引リスト８０１および商品Ａに対して入札に参加した販売者現況リスト８０２を示す。本発明の一実施形態によると、ショッピングサービス提供システム１０１は、入札に参加した販売者のうち最低入札額を提示した販売者を選定する。このとき、販売者現況リスト８０２を参照すると、入札額１６９００ウォンを提示した販売者３が選択される。
【００６１】
これによって、ショッピングサービス提供システム１０１は、ショッピングサービスのための販売現況テーブル８０３を提供する。商品Ａの実際の価格が３５０００ウォンである場合、販売者３が提示した最低入札額１６９００ウォンが割引金額として決定される。ただし、商品Ａに関連するユーザ１０２の人数が予め設定した条件を満足しなければ、販売者３はユーザ１０２に割引金額で商品Ａを販売することができない。一方、商品Ａを購入申請したユーザの人数が予め設定した条件を満足しなければ、販売者３は商品Ａを販売しないか、足りない人数だけ割引金額を減少させて販売してもよい。
【００６２】
図９は、本発明の一実施形態に係るショッピングサービス提供方法の全体構成を示すフローチャートである。
【００６３】
ステップＳ９０１において、ショッピングサービス提供システム１０１は、割引申請の対象である商品を決定する。ショッピングサービス提供システム１０１は、一例として、オンラインショッピングサイトで販売されている商品のうちユーザ１０２が割引を申請するために選択した商品を決定する。ショッピングサービス提供システム１０１は、他の一例として、ソーシャルネットワーク１０５に登録された文書から抽出された商品を対象に割引申請の対象である商品を決定する。
【００６４】
ステップＳ９０２において、ショッピングサービス提供システム１０１は、商品の割引申請を収集して割引リストを生成して提供する。このとき、ショッピングサービス提供システム１０１は、ユーザ１０２またはユーザ１０２が加入したソーシャルネットワーク１０５の人脈の割引申請に基づいて割引リストを生成する。
【００６５】
ショッピングサービス提供システム１０１は、一例として、ユーザ１０２が割引を申請した商品に関連する割引リストをソーシャルネットワーク１０５の人脈に提供する。このとき、ショッピングサービス提供システム１０１は、ユーザ１０２が割引を申請した商品に関連する割引リストを商品と同一または類似の商品に関心を有するソーシャルネットワーク１０５の人脈に提供する。このために、ショッピングサービス提供システム１０１は、ソーシャルネットワークの人脈に関連する文書の内容、プロファイル、購入商品、または検索キーワードのうち少なくとも１つに基づいてユーザ１０２が割引を申請した商品と同一または類似の商品に関心を有するか否かを判断する。
【００６６】
ショッピングサービス提供システム１０１は、他の一例として、ソーシャルネットワーク１０５の人脈が割引を申請した商品に関連する割引リストをユーザ１０２に提供する。
【００６７】
ステップＳ９０３において、ショッピングサービス提供システム１０１は、割引リストが提供された商品の販売者１０３を対象に商品の割引金額を決定する。ショッピングサービス提供システム１０１は、一例として、割引リストを提供された商品の販売者１０３の最低入札額に基づいて商品の割引金額を決定する。
【００６８】
ステップＳ９０４において、ショッピングサービス提供システム１０１は、割引金額に基づいてショッピングサービスを提供する。
【００６９】
本発明の実施形態に係る方法は、多様なコンピュータ手段を介して様々な処理を実行することができるプログラム命令の形態で実現され、コンピュータ読取可能な記録媒体に記録される。コンピュータ読取可能な媒体は、プログラム命令、データファイル、データ構造などの単独または組み合わせたものを含む。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フレキシブルディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成される。
【００７０】
上述したように本発明を図面を参照して実施形態を説明したが、本発明は、上記の実施形態に限定されることなく、本発明が属する分野における通常の知識を有する者であれば、このような実施形態から多様な修正及び変形をすることが可能である。
【００７１】
したがって、本発明の範囲は、開示された実施形態に限定されて定められるものではなく、特許請求の範囲だけではなく特許請求の範囲と均等なものなどによって定められる。
【符号の説明】
【００７２】
１０１      ショッピングサービス提供システム
１０２      ユーザ
１０３      販売者
１０４      オンラインショッピングサイト
１０５      ソーシャルネットワーク
【図１】
0005912039.tif 000002
【図２】
0005912039.tif 000003
【図３】
0005912039.tif 000004
【図４】
0005912039.tif 000005
【図５】
0005912039.tif 000006
【図６】
0005912039.tif 000007
【図７】
0005912039.tif 000008
【図８】
0005912039.tif 000009
【図９】
0005912039.tif 000010